(57)【要約】【課題】各駐車室に備える格納トレイを横行させる横行駆動装置の数を減少させ、これによって設備費を低減するとともにメンテナンスが容易となるエレベータ式駐車装置を提供すること。【解決手段】上下方向に貫通する空間を有する昇降路１１と、昇降路１１に沿って上下多段に設けられた駐車室１４と、駐車室１４に横行自在に配置され、車両１６の搭載部を櫛歯状に形成された格納トレイ１５と、車両１６の搭載部を格納トレイ１５の櫛歯と交互になるように櫛歯状に形成し、昇降路１１を昇降するケージ１２と、ケージ１２の前方及び後方の位置で昇降路１１を昇降する横行装置２２と、を備え、横行装置２２には、格納トレイ１５を横行自在に支持する横行レール２３と、格納トレイ１５を駐車室１４と横行レール２３上との間で横行させる横行駆動装置２４と、を備えた。【選択図】図１
2015063860.tif 000002
【特許請求の範囲】
【請求項１】
上下方向に貫通する空間を有する昇降路と、該昇降路に沿って上下多段に設けられた駐車室と、該駐車室に横行自在に配置され、車両の搭載部を櫛歯状に形成された格納トレイと、車両の搭載部を前記格納トレイの櫛歯と交互になるように櫛歯状に形成し、前記昇降路を昇降するケージと、該ケージの前方及び後方の位置で昇降路を昇降する横行装置と、を備え、該横行装置には、前記格納トレイを横行自在に支持する横行レールと、前記格納トレイを前記駐車室と前記横行レール上との間で横行させる横行駆動装置と、を備えたことを特徴とするエレベータ式駐車装置。
【発明の詳細な説明】
【技術分野】
【０００１】
本発明は、車両を立体的に格納するエレベータ式駐車装置に関する。
【背景技術】
【０００２】
立体駐車装置は、スペースの少ない土地に多数の車両を効率よく駐車できる駐車設備として住宅密集地等において広く利用されており、利用する土地の広狭や経済性などを考慮した種々の構造のものが提供されている。この立体駐車装置の機種の一つとして、上下多段に配置された複数の駐車室に沿ってエレベータを昇降させ、各駐車室とエレベータとの間で車両を受け渡しするエレベータ式駐車装置がある。
【０００３】
このエレベータ式駐車装置には、パレット上に車両を搭載してエレベータで搬送し、このパレットごと車両を駐車室との間で受け渡しするパレット方式と、このようなパレットを用いることなく車両のみを受け渡しするパレットレス方式とがある。パレット方式は、駐車室とエレベータの昇降機との間でパレットないし車両を横行駆動する駆動装置を昇降機に備えており、このために各駐車室の構造が簡素であって、装置全体の設備費を安価にできる。その一方、パレット方式は、入庫に際しては空のパレットを引き出すために昇降機を当該駐車室まで移動させる必要があり、また、出庫に際しては空となったパレットを当該駐車室まで移送する必要があるため、入出庫に際して時間を要するという短所がある。
【０００４】
パレットを用いないパレットレス方式のエレベータ式駐車装置は、車両を搭載する部分を櫛歯とした装置が従来より多数採用されており、この装置は概略以下のように構成されている。まず、車両を搭載してエレベータの昇降路を上下に移動する昇降機は、車両を搭載する部分が櫛歯で形成されている。昇降路に沿って複数階に設けられた各駐車室には、昇降路内へ水平移動自在に格納トレイを備えており、この格納トレイは各駐車室に備えた横行駆動装置により駆動されて駐車室内と昇降路との間を移動する。格納トレイの車両を搭載する部分は、昇降機の櫛歯と互い違いに配置された櫛歯で形成されており、昇降路内で格納トレイと昇降機とが上下に交差して通り抜けることで車両が相互に受け渡される。
【０００５】
このようなパレットレス方式のエレベータ式駐車装置は、入出庫に要する時間は比較的短いものの、上記したように各駐車室には格納トレイを駆動する横行駆動装置を設ける必要があり、車両の収容台数を多く設定する毎に製作コストや電気工事費等の生産コストが高くなるとともに、メンテナンスが繁雑であるという短所がある。このような課題を解決する従来技術として、特許文献１に記載の技術が提案されている。
【０００６】
特許文献１に記載の駐車装置は、概略以下のように構成されている。駐車棚（駐車室）内には、鉛直面内で矩形状に旋回するように無端チェーンを掛け回し、駆動モータにより旋回駆動される。無端チェーンには、係合部材が取り付けられており、この係合部材は当該駐車棚の車両搭載架台（格納トレイ）と、直上階の駐車棚の車両搭載架台とに係合するようになっている。無端チェーンを駆動すると、無端チェーンの旋回方向により当該階又は直上階の車両搭載架台が選択的に昇降路方向へ搬送される。このときに車両搭載架台は、昇降路の中央位置まで搬送されず、わずかに駐車棚側に戻った位置にとどまる。次に、エレベータには、鉛直面内で略く字形状の横行ガイド部材を備えており、エレベータの昇降にともなってこの横行ガイド部材が車両搭載架台の係合部材に係合するとともに、車両搭載架台を昇降路の中央位置まで引き出す。
【先行技術文献】
【特許文献】
【０００７】
【特許文献１】特開２００７−２２４６４４号公報
【発明の概要】
【発明が解決しようとする課題】
【０００８】
上記特許文献１に記載された駐車装置は、上下２カ所の駐車棚（駐車室）に付き１台の横行駆動装置を設ければよいので、従来の駐車装置に比して生産コストを低減できるものの、依然として複数の横行駆動装置を必要とすることから、車両の収容台数を多く設定する毎に生産コストが高くなるとともに、メンテナンスも繁雑になってしまう。
【０００９】
本発明は、このような事情に鑑みてなされたものであって、各駐車室に備える格納トレイを横行させる横行駆動装置の数を減少させ、これによって設備費を低減するとともにメンテナンスが容易となるエレベータ式駐車装置を提供することを目的としている。
【課題を解決するための手段】
【００１０】
上記課題を解決するために本発明は、上上下方向に貫通する空間を有する昇降路と、該昇降路に沿って上下多段に設けられた駐車室と、該駐車室に横行自在に配置され、車両の搭載部を櫛歯状に形成された格納トレイと、車両の搭載部を前記格納トレイの櫛歯と交互になるように櫛歯状に形成し、前記昇降路を昇降するケージと、該ケージの前方及び後方の位置で昇降路を昇降する横行装置と、を備え、該横行装置には、前記格納トレイを横行自在に支持する横行レールと、前記格納トレイを前記駐車室と前記横行レール上との間で横行させる横行駆動装置と、を備えたことを特徴としている。
【発明の効果】
【００１１】
本発明によれば、横行レールと横行駆動装置を備えた横行装置を昇降させて、該当する駐車室との間で収納パレットの受け渡しを行うようにしたことにより、各駐車室毎に横行駆動装置を設ける必要が無く、設備に要する費用を低減することができ、また横行駆動装置等のメンテナンスも容易になる。
【図面の簡単な説明】
【００１２】
【図１】エレベータ式駐車装置の概略を示す正面図
【図２】エレベータ式駐車装置の概略を示す平面図
【図３】横行駆動装置及び格納トレイの動作を模式的に示した説明図
【図４】エレベータ式駐車装置の出庫時動作説明図
【図５】エレベータ式駐車装置の入庫時動作説明図
【発明を実施するための最良の形態】
【００１３】
以下、本発明の具体的な実施の形態を図面を参照して説明する。図１及び図２は、エレベータ式駐車装置の概略を示す正面図及び平面図である。尚、以降の説明においては、特に説明の無いかぎり、駐車する車両の前後方向を装置の前後方向とし、車両の左右方向を装置の左右方向として説明する。
【００１４】
エレベータ式駐車装置１０の内部には、中央を上下に貫通する昇降路１１が形成されており、この昇降路１１を昇降可能にケージ１２を設けている。昇降路１１の四隅には、ケージ１２を案内するガイドレール１３が立設されており、ケージ１２はこれに沿って垂直方向へ昇降する。昇降路１１の両側方には、複数の駐車室１４が上下多段に形成されており、各駐車室１４には、それぞれ車両１６を搭載して格納するための格納トレイ１５を備えている。
【００１５】
格納トレイ１５は、前端部と後端部において水平に延びる横フレーム２５と、両横フレーム２５の中央部間を連結する縦フレーム２６とを有しており、この縦フレーム２６の前部および後部には、両側方に向けて櫛歯状のトレイフォーク２７が形成されている。各駐車室１４には、横フレーム２５の下方位置に複数の横行ローラー２１を配置して備えており、これにより格納トレイ１５は駐車室１４内で横行自在に支持されている。
【００１６】
前記ケージ１２は左右一対で構成されており、左右各々の両端部で前後方向へ延びるサイドフレーム１７と、これらのサイドフレーム１７の内側に櫛歯状に一体形成されて車両１６の各前後車輪を支持するケージフォーク１８とを備えている。このケージフォーク１８の櫛歯と前記格納トレイ１５に形成されたトレイフォーク２７の櫛歯とは、平面視において重なり合ったときに互い違いとなるように形成されており、互いに上下方向へすれ違うことが可能となっている。前記各サイドフレーム１７の前後端部は、垂直方向に張架された四本の索条２０に連結されており、この索条２０を昇降路１１の上部に備えたケージ駆動装置３８によって同期して駆動することにより、ケージ１２が昇降路１１内を昇降移動する。また、各サイドフレーム１７の前後端部には、それぞれガイドローラー１９を回転自在に軸支し、このガイドローラー１９がガイドレール１３に案内されてケージ１２が昇降路１１内を昇降する。
【００１７】
ケージ１２の前方と後方の位置には、横行装置２２が配設されている。この横行装置２２は、横行ローラー２１を複数備えた横行レール２３と、駐車室１４に備えた格納トレイ１５を横行駆動する横行駆動装置２４とを備えており、横行駆動装置２４を動作させることにより、駐車室１４と横行装置２２上との間で格納トレイ１５の受け渡しが行われる。横行装置２２は、垂直方向に張架されたチェーン２８に連結されており、このチェーン２８を昇降路１１の上部に備えた昇降駆動装置２９によって駆動することにより、横行装置２２が昇降路１１内を昇降移動する。
【００１８】
横行駆動装置２４は、横行レール２３の両側端部の上方に回転自在に備えたスプロケット３０、３１と、一のスプロケット３０を回転駆動する駆動機３６と、両スプロケット３０、３１間に無端状に巻き掛けたチェーン３２と、このチェーン３２の外周に取り付けた押送ロッド３３とを備えている。押送ロッド３３はＬ字形状に形成された部材であり、チェーン３２に固着した位置から外周方向へ突出するとともに、先端部を昇降路１１内側方向へ突出させて、ここに押送ローラー３４を備えている。一方、格納トレイ１５の横フレーム２５の昇降路１１側には、上方に突出した係合部３５を備えている。この係合部３５には、上端が開口して下方へ延びた溝が形成されており、この溝に上記押送ローラー３４が係合する。
【００１９】
図３は、横行駆動装置２４及び格納トレイ１５の動作を模式的に示した説明図である。図３（ａ）において、点線で示した押送ロッド３３が直立した状態から、駆動機３６によりスプロケット３０を回転させてチェーン３２を反時計方向に循環移動させると、押送ロッド３３が水平となった位置で押送ローラー３４が係合部３５の溝に係合する。引き続きチェーン３２が循環移動すると、図３（ｂ）に示すように押送ローラー３４が係合部３５の溝内を下降し、これにともなって格納トレイ１５が横行装置２２側へ引き寄せられる。次いで、チェーン３２の移動とともに押送ロッド３３が進行すると、格納トレイ１５が横行レール２３に乗り移り、図３（ｃ）に示すように、格納トレイ１５全体が横行レール２３上に乗り移ると横行駆動装置２４が停止する。格納トレイ１５を横行レール２３上から駐車室１４に移動させる場合には、上記の動作と反対の動作を行う。
【００２０】
以上の構成により、まず、エレベータ式駐車装置１０に格納した車両１６を出庫させる場合を図４により説明する。まず、エレベータ式駐車装置１０の操作盤により出庫する車両１６を指定すると、図４（ａ）に示すように、横行装置２２は該当する車両１６の駐車室１４まで昇降路１１を移動して停止し、この後、押送駆動装置２４が動作して車両１６を搭載した格納トレイ１５を横行レール２３上へ移動させる。これと並行してケージ１２も当該駐車室１４付近まで移動するが、この際にケージ１２は横行装置２２よりも下方に位置するようになっている。
【００２１】
図４（ｂ）に示すように、ケージ１２の移動が完了するとケージ１２が上昇し、格納トレイ１５を通り抜けると同時に車両１６が格納トレイ１５からケージ１２へと受け渡され、その後ケージ１２は、横行装置２２から若干上昇した位置で一旦停止する。次に図４（ｃ）に示すように、横行装置２２の横行駆動装置２４が動作して、横行レール２３上の格納トレイ１５を駐車室１４側へ移動させる。格納トレイ１５が完全に駐車室１４に格納されると、ケージ１２が入出庫階３７まで降下して停止し、運転者が車両１６に乗り込んで出庫する。
【００２２】
次に、図５によって車両１６を入庫する場合を説明する。エレベータ式駐車装置１０の入出庫階３７には、ケージ１２が予め待機しており、入庫する車両１６は自走によりケージ１２上に乗り込み搭載される。次いで、ケージ１２は上昇して車両１６を格納する駐車室１４からやや上昇した位置で停止する。これと並行して横行装置２２も当該駐車室１４へと移動した後、横行駆動装置２４が動作して駐車室１４内の空の格納トレイ１５を横行レール２３上へ移動させる（図５（ａ））。つづいて、ケージ１２が下降してケージ１２上の車両１６が格納トレイ１５へ受け渡される（図５（ｂ））。次に、横行装置２２の横行駆動装置２４が動作して、格納トレイ１５を駐車室１４へ移動させ、車両１６が駐車室１４内に格納される（図５（ｃ））。
【００２３】
以上説明したように、本発明のエレベータ式駐車装置１０は、昇降路１１の前方と後方に横行装置２２を昇降自在に備え、この横行装置２２には、格納トレイ１５を支持する横行レール２３と、格納トレイ１５を駐車室１４と横行レール２３との間で移動させる横行駆動装置２４とを備えた。そして、この横行装置２２を該当する駐車室１４へ移動させて格納トレイ１５の出し入れを行うようにしたので、格納トレイ１５を横行させる駆動装置を各駐車室１４毎に設ける必要がない。
【符号の説明】
【００２４】
１０  エレベータ式駐車装置
１１  昇降路
１２  ケージ
１３  ガイドレール
１４  駐車室
１５  格納トレイ
１６  車両
１７  サイドフレーム
１８  ケージフォーク
１９  ガイドローラー
２０  索条
２１  横行ローラー
２２  横行装置
２３  横行レール
２４  横行駆動装置
２５  横フレーム
２６  縦フレーム
２７  トレイフォーク
２８  チェーン
２９  昇降駆動装置
３０  スプロケット
３１  スプロケット
３２  チェーン
３３  押送ロッド
３４  押送ローラー
３５  係合部
３６  駆動機
３７  入出庫階
３８  ケージ駆動装置  
【図１】
2015063860.tif 000003
【図２】
2015063860.tif 000004
【図３】
2015063860.tif 000005
【図４】
2015063860.tif 000006
【図５】
2015063860.tif 000007